(57)【要約】【課題】携帯機器等の小型の機器においても、デスクトップ型のＰＣに近い視認性を実現しながら、片手で操作性可能な記録再生装置を提供する。【解決手段】複数の画像をグループ分けして蓄積する記録手段と、前記画像、グループアイコン及びメニューアイコン（４２、４５〜４７）を３次元的に配置するために、前記記録手段を備えた記録再生装置１０の周囲３６０°に仮想空間４１を生成する手段と、前記仮想空間４１に、前記画像、グループアイコン及びメニューアイコンを配置した状態で表示する、表示領域１１を有した表示手段と、記録再生装置１０自体の移動方向、移動距離、回転を検出する手段と、仮想空間４１内で当該記録再生装置１０を移動及び／又は回転させたときに、前記表示領域１１に表示する、仮想空間４１に配置された画像を、前記検出した移動方向、移動距離、回転に基づいて、連続的に切り替える表示切替手段とを具備する。【選択図】図５
2009187426.tif 000002
【特許請求の範囲】
【請求項１】
複数の画像をグループ分けして蓄積する記録手段と、
前記蓄積された画像、グループアイコン及びメニューアイコンを３次元的に配置するために、前記記録手段を備えた記録再生装置の周囲３６０°に仮想空間を生成する手段と、
前記仮想空間に、前記蓄積された画像、グループアイコン及びメニューアイコンを配置した状態で表示する、表示領域を有した表示手段と、
前記記録再生装置自体の移動方向、移動距離、回転を検出する手段と、
前記仮想空間内で当該記録再生装置を移動及び／又は回転させたときに、前記表示領域に表示する、仮想空間に配置された画像を、前記検出した移動方向、移動距離、回転に基づいて、連続的に切り替える表示切替手段と
を具備することを特徴とする記録再生装置。
【請求項２】
前記表示手段は、前記表示領域の中央にカーソルを表示し、該カーソルを、前記表示領域の中央に最も近い位置に表示され、前記仮想空間に配置された画像、グループアイコン及びメニューアイコンの上に、常に移動させることを特徴とする請求項１記載の記録再生装置。
【請求項３】
操作ボタンを備え、
前記表示切替手段は、前記カーソルが前記画像、グループアイコン及びメニューアイコンの上にある状態で、前記操作ボタンを押して放す操作を行ったときに、前記カーソル下の画像、グループアイコン及びメニューアイコンを選択することを特徴とする請求項２記載の記録再生装置。
【請求項４】
操作ボタンを備え、
前記表示切替手段は、前記カーソルが前記画像、グループアイコン及びメニューアイコンの上にある状態で、前記操作ボタンを押したまま、当該記録再生装置を移動及び／又は回転させて前記カーソルを任意の位置に移動させたときに、該カーソルの移動とともに前記画像、グループアイコン及びメニューアイコンを動かし、さらにその状態で前記操作ボタンを離す操作が行われたときに、該移動したカーソルが示す仮想空間の位置に前記画像、グループアイコン及びメニューアイコンを移動させることを特徴とする請求項２記載の記録再生装置。
【発明の詳細な説明】
【技術分野】
【０００１】
本発明は、例えば大量の画像の中から目的の画像を閲覧する際の操作性を向上させた記録再生装置に関する。
【背景技術】
【０００２】
近年、ＰＤＡ（Personal Digital Assistant）やデジタルカメラ、携帯電話などの小型の表示装置を備えた携帯機器が一般に広く普及している。しかし、こうした小型情報通信機器は、大きさの制約によりイメージまたは情報がディスプレイされる領域すなわち表示窓が小さく、デスクトップ型のＰＣと比較すると一度に表示できる情報が少なく、不便であるという問題があった。また、インタフェースの操作性に関しても同様に本体の大きさの制約上、デスクトップ型のＰＣのように、使いやすい大きさのポインティングデバイスやボタン、キーボードなどを搭載することが困難であり、操作性が問題となっている。
【０００３】
これらの問題を解決するため、特許文献１のように、画像を３次元的に配置することで、小型の携帯機器の狭い表示領域にあっても、ユーザが多数の画像を容易に確認できるようにし、視認性を向上させる手法が提案されている。
【０００４】
また、特許文献２のように、携帯機器本体を上下左右に平行移動させることで、表示されている地図等の情報をスクロールさせ、小さな表示窓においても、片手による操作で大きな画像を閲覧することのできる手法が提案されている。
【特許文献１】特開２０００−１０５７７２号公報
【特許文献２】特開平１０−２５４６１４号公報
【発明の開示】
【発明が解決しようとする課題】
【０００５】
しかし、前記特許文献１の手法では、画像が３次元的に配置されることで一度に確認できる画像が増え、視認性は向上するものの、インタフェースの操作性自体は、十字キー・ジョグダイヤル・タッチパネル等の搭載を想定しているため、従来の小型携帯機器と違いが見られない。
【０００６】
また、前記特許文献２の手法では、片手による直感的な操作で表示窓より大きな画像を見ることはできるというメリットはあるものの、用途は一枚の画像を閲覧することに限定されており、メニューの選択、決定操作などのその他の基本的な操作に関しては、従来の機器と違いが見られない。
【０００７】
従来から携帯機器には、その筐体の小ささ故に小型のボタンや十字キー、タッチパネルが搭載されているため、操作性は必ずしも良いとは言えず、それらに替わる操作性の良好なユーザインタフェースが望まれている。また、携帯機器は外出先で片手に物を持ちながら操作を行う状況も想定されるため、片手で操作できるインタフェースであることが望ましい。
【０００８】
本発明は、このような事情を考慮してなされたものであり、携帯機器等の小型の機器においても、デスクトップ型のＰＣに近い視認性を実現しながら、片手で操作性可能なインタフェース機能を備えた記録再生装置を提供することを目的とする。
【課題を解決するための手段】
【０００９】
上記課題を解決するための請求項１記載の記録再生装置は、複数の画像をグループ分けして蓄積する記録手段と、前記蓄積された画像、グループアイコン及びメニューアイコンを３次元的に配置するために、前記記録手段を備えた記録再生装置の周囲３６０°に仮想空間を生成する手段と、前記仮想空間に、前記蓄積された画像、グループアイコン及びメニューアイコンを配置した状態で表示する、表示領域を有した表示手段と、前記記録再生装置自体の移動方向、移動距離、回転を検出する手段と、前記仮想空間内で当該記録再生装置を移動及び／又は回転させたときに、前記表示領域に表示する、仮想空間に配置された画像を、前記検出した移動方向、移動距離、回転に基づいて、連続的に切り替える表示切替手段とを具備することを特徴としている。
【００１０】
また請求項２記載の記録再生装置は、請求項１において、前記表示手段は、前記表示領域の中央にカーソルを表示し、該カーソルを、前記表示領域の中央に最も近い位置に表示され、前記仮想空間に配置された画像、グループアイコン及びメニューアイコンの上に、常に移動させることを特徴としている。
【００１１】
また請求項３記載の記録再生装置は、請求項２において、操作ボタンを備え、前記表示切替手段は、前記カーソルが前記画像、グループアイコン及びメニューアイコンの上にある状態で、前記操作ボタンを押して放す操作を行ったときに、前記カーソル下の画像、グループアイコン及びメニューアイコンを選択することを特徴としている。
【００１２】
また請求項４記載の記録再生装置は、請求項２において、操作ボタンを備え、前記表示切替手段は、前記カーソルが前記画像、グループアイコン及びメニューアイコンの上にある状態で、前記操作ボタンを押したまま、当該記録再生装置を移動及び／又は回転させて前記カーソルを任意の位置に移動させたときに、該カーソルの移動とともに前記画像、グループアイコン及びメニューアイコンを動かし、さらにその状態で前記操作ボタンを離す操作が行われたときに、該移動したカーソルが示す仮想空間の位置に前記画像、グループアイコン及びメニューアイコンを移動させることを特徴としている。
【００１３】
上記構成によれば、仮想空間に配置された大量の画像、テキスト、メニュー等を閲覧することができる。
【００１４】
また記録再生装置本体を動かすこと及び／又は唯一の操作ボタンの操作によって、画像の選択、表示の切替え等を容易に行うことができ、操作性が著しく向上する。
【発明の効果】
【００１５】
（１）請求項１〜４に記載の発明によれば、仮想空間に配置された大量の画像、テキスト、メニュー等を閲覧することができる。すなわち、ユーザは小型の記録再生機器を操作する際に、製品の大きさを問わず、その表示画面を通して仮想空間を覗き見ることにより、仮想空間に配置された大量の画像・動画・テキスト・メニューなどを閲覧することができる。
（２）請求項２〜４に記載の発明によれば、記録再生機器自体の移動による表示領域の変更、及びカーソルの操作、本体付属の操作ボタンによる選択・決定・キャンセル・ドラッグ等の操作により、従来は片手で本体を保持しつつ、もう片方の手で行っていたそれらの操作を、片手でも行えるようになる。
【００１６】
また、従来は小型の携帯機器に搭載するのが困難であったキーボードを、前記仮想空間に仮想キーボードとして配置することで搭載を可能とし、携帯機器においても製品の大きさを問わず、片手による文字入力操作が可能になる。特にこれらの発明は、操作性の良い十分な大きさのボタンやタッチパネル及びキーボードを搭載することが困難な、デジタルカメラ、ＰＤＡ等の小型製品において非常に有効である。
【００１７】
また、本発明では、前記仮想空間に配置された画像やアイコン等に対して操作を行うため、従来のように実画面上の表示物に対する物理的なボタン等を用意する必要がなく、空いたスペース分、表示画面を拡大したり、製品を小型化することが可能となる。
【発明を実施するための最良の形態】
【００１８】
以下、図面を参照しながら本発明の実施の形態を説明するが、本発明は下記の実施形態例に限定されるものではない。
【００１９】
図１は本発明の実施形態例に係る記録再生装置１０の外観図である。この記録再生装置１０は、携帯電話やＰＤＡ等のカメラ付の携帯情報表示端末、あるいはデジタルスチルカメラであり、筐体正面には図１（a）に示すように被写体からの被写体光を取り込むための撮影窓１３が配設されている。また、この記録再生装置１０の筐体背面には、図１（ｂ）に示すように、ＬＣＤパネル等の表示領域１１と操作ボタン１２が配設されている。
【００２０】
図２は、記録再生装置１０の内部構成例を示したブロック図である。図２において、レンズ、絞り、フィルタ等を備えた光学部２０から入力された撮像光は、イメージャ２１等の撮像素子により光電変換されて、アナログデータをデジタルデータに変換するＡ／Ｄ変換部２２に供給される。
【００２１】
デジタルデータに変換された画像データは、静止画像データを圧縮処理する信号処理回路２３により処理されて記録部２８（記録手段）に記録される。記録部２８は、取り外し可能な記録メディアであっても、内蔵のハードディスクやフラッシュメモリであっても良い。撮影者は、電源スイッチ、シャッタ等を備える操作部２６より、電源のＯＮ／ＯＦＦや撮像操作を行うことが可能である。
【００２２】
記録再生装置１０は撮影モードと閲覧（再生）モードを持ち、画像再生時には、画像の表示領域１１を備えた表示部２７（表示手段）により、記録部２８に保存してある画像データを随時読み出して表示可能である。
【００２３】
２９は加速度センサ、ジャイロセンサ、地磁気センサ等を備えたセンサ部であり、記録再生装置１０の移動方向や移動距離、傾きの方向などを感知することができる。記録再生装置１０内の処理を制御するＣＰＵ２５（表示切替手段、仮想空間を生成する手段）は、所定の設定値、パラメータ、プログラム等を記録してある書き換え可能なフラッシュメモリ２４より、随時必要なデータを読み出し、演算し、記録部２８への書き込み処理等を行う。
【００２４】
記録部２８内の画像データは撮影日時や撮影場所等の情報が付与された後、記録される。例えば、撮影場所の情報取得手段としてＧＰＳ（Global Positioning System）の搭載が考えられる。情報の付与手段としては、ファイル名に地名や日時の情報を加える方法や、画像ファイルの付加情報記録領域にそれらの情報を記録する方法が考えられる。
【００２５】
また、記録部２８内に無秩序に記録されている画像データは、閲覧時には例えば図３のように、ユーザの目的に応じて日時や撮影場所ごとにソートされ、グループとして扱われる。図３（a）は撮影場所ごとに記録部２８内の画像データをソートした例であり、図３（b）は撮影日時ごとに同一のデータをソートした例である。本実施例では、全ての画像データは撮影時にＧＰＳ情報と日時を付与された上で記憶されており、閲覧時には撮影場所ごとにソートされるか、又は撮影日時でソートされて、グループとして扱われる。
【００２６】
次に、記録再生装置１０の閲覧モード時の表示画面及び操作方法を図４乃至図２３とともに説明する。尚図２１乃至図２３はＣＰＵ２５が実行する処理のフローチャートを示している。
【００２７】
最初に図４乃至図６を用いて、本発明における前記閲覧モードの特徴の一つである、仮想空間４１の説明を行う。図４及び図５は、ユーザ４０が表示領域１１を通して見ている仮想空間４１を表した図である。
【００２８】
この仮想空間４１は、記録再生装置１０の周りを３６０°囲むように設定され、現実にカメラのファインダーを覗いて周りの景色を見渡すのと同様の体験を仮想空間を見渡す行為として、ユーザに与えることができる。
【００２９】
ユーザ４０が表示領域１１を通して見ることのできる仮想空間４１の範囲は、図４及び図５の破線４４、４４を囲む範囲であり、実際にユーザが見える画面は図６の表示領域１１に囲まれた範囲である。仮想空間４１には、図４及び図５のように、例えば正面にサムネイル画４２が垂直方向に向かって平面的に配置され、その下方に、グループリスト４５や、ゴミ箱アイコン４６、キーボードアイコン４７等のメニュー類が配置されている（ＣＰＵ２５、表示部２７、記録部２８により配置される）。
【００３０】
グループリスト４５は複数のグループアイコンの集まりであり、記録再生装置１０で撮影された画像は撮影時のＧＰＳ情報をもとに、いずれかのグループアイコンが表すグループに分類されている。また、個々のグループアイコン上には撮影場所や日付、枚数等の情報が表示されるが、それと同時にグループ内の画像の一部を縮小画像として表示してもよい。また、ユーザ４０が記録再生装置１０を閲覧モードに切り替えた直後には、初期状態としてサムネイル画４２の中心が表示領域１１の中心に写るように、仮想空間４１は配置される。ここで、サムネイル画４２の中心とは、平面状に配置されている全サムネイル画の重心位置を示している。
【００３１】
図６は、図４および図５のように仮想空間４１のサムネイル画４２が配置されている平面に向けて記録再生装置１０を構えている際の、表示領域１１の表示の具体例であり、図４及び図５のサムネイル画４２の一部が図６の表示領域１１に表示されている。
【００３２】
また、図６のように、表示領域１１の中央付近には、カーソル４３が表示され、このカーソル４３は表示領域１１に表示されている画像やメニューの中で、最も表示領域１１の中心に近いものの上にあるように、常に移動する。さらに、表示領域１１内には、現在閲覧中のサムネイル画像のグループ名６０とその日付や枚数等の情報が表示されている。日付が複数の日数にまたがる場合は、「4/1〜4/5」というように範囲で表示しても良い。
【００３３】
ここで、たとえば、図７のようにユーザ４０が記録再生装置１０を正面に向かって右上方向に動かすと、センサ部２９がその移動方向７０と本体の傾きを感知し（図２１のステップＳ１・Ｓ２）、仮想空間４１内で、ユーザ４０が実際に移動方向７０の方向に記録再生装置１０を移動したものとしてＣＰＵ２５が処理を行い（図２２（ａ）のステップＳ１−１）、移動後の仮想空間４１の映像を表示領域１１に表示する（図２２（ａ）のステップＳ１−２）。
【００３４】
図７の例では、移動方向７０の方向に記録再生装置１０を動かすと、図８のように、破線で示されている過去の位置８１から、サムネイル画４２に対して表示領域１１が移動方向７０に対応したベクトル８０の方向に移動する。さらに、表示領域１１の移動に伴い、カーソル４３も新たに中心に近い画像やメニュー上に移動する（図２１のステップＳ５）。
【００３５】
また、図９のように記録再生装置１０を図示ベクトル９０の方向に動かすと、センサ部２９がその移動を感知し、図１０（a）のように表示領域１１の映像を移動量に応じて縮小表示する（図２１のステップＳ１・Ｓ２、チャート（1））。また、図９のように記録再生装置１０をベクトル９１の方向に動かすと、センサ部２９がその移動を感知し、図１０（ｂ）のように表示領域１１の映像を移動量に応じて拡大表示する（図２１のステップＳ１・Ｓ２、チャート（１））。
【００３６】
また、図１１（a）のようにカーソル４３がサムネイル画４２上にある状態で、記録再生装置１０の操作ボタン１２を押して放すと（図２１のステップＳ３・Ｓ４）、図１１（b）のように、その画像を表示領域１１一杯に拡大して表示することができる（図２３のステップＳ３−１・Ｓ３−５）。さらに、図１１（b）の状態で、記録再生装置１０の操作ボタン１２を押して放すと（図２３のステップＳ３−６）、図１１（a）の状態に戻ることができる。
また、図１２のように、記録再生装置１０を仮想空間の下方に向けると、センサ部２９がその傾きを感知し（図２１のステップＳ１・Ｓ２）、仮想空間４１内で、ユーザ４０が実際に記録再生装置１０を傾けたものとしてＣＰＵ２５が処理を行い（図２２のステップＳ１−１）、傾けた後の仮想空間４１の映像を表示領域１１に表示する（図２２のステップＳ１−２）。
【００３７】
このとき、仮想空間４１内でグループリスト４５や、ゴミ箱アイコン４６、キーボードアイコン４７等のメニュー類が領域４４の内部に入ると、図１３のように表示領域１１内にそれらが表示される。また、先程までと同様に、カーソル４３は表示領域１１の最も中心に近い画像やメニュー上に常に移動する（図２１のステップＳ５）。
【００３８】
図１３のように、カーソル４３がグループリスト４５内のいずれかのグループ上にある状態で、記録再生装置１０の操作ボタン１２を押して放すと（図２１のステップＳ３・Ｓ４）、そのグループが選択され、図１４（a）から図１４（b）への変化のように、今回選択したグループに属する画像が仮想空間上でサムネイル画４２に表示される（図２３のステップＳ３−７）。また、その際、グループ名６０の表示も、新たに選択されたグループのものに切り替わって表示される。
【００３９】
また、図１５のようにカーソル４３がサムネイル画４２上にある状態で、記録再生装置１０の操作ボタン１２を押したままにすると（図２１のステップＳ３，Ｓ４，図２２（ｂ）のステップＳ２−１）、手のアイコン１５０がカーソル４３上に現れ（図２２（ｂ）のステップＳ２−３）、直下の画像を掴んだ状態になる。  操作ボタン１２が押されたままであると判断される押し時間は、例えば1秒程度が好適である。この状態で記録再生装置１０を移動させ（図２２（ｂ）のステップＳ２−４）、カーソル４３を別の場所に動かすと（図２２のステップＳ２−５、ステップＳ１−１・Ｓ１−２）、図１６のように、アイコン１５０の下にある画像を移動させることができる。
【００４０】
このとき、例外的に、カーソル４３は常に画面中央におり（図２２（ｂ）のステップＳ２−２）、前述のような表示領域１１の中心に近い画像やメニュー上に移動することはしない。また、図１６のように、任意の場所で記録再生装置１０の操作ボタン１２を離すと（図２２（ｂ）のステップＳ２−６）、手のアイコン１５０を消去し（図２２（ｂ）のステップＳ２−７）、その場所に掴んだ画像を置くことができる（図２２（ｂ）のステップＳ２−８）。この際、画像を置いた場所が中途半端な位置の場合は、自動的にサムネイル画４２に整列して表示するようにすることも可能である。また、図１７のように、ゴミ箱アイコン４６の上で掴んだ画像を離すと、その画像を記録部２８から消去することができる。また、この掴む操作は、対象が画像に限らず、グループリスト４５のグループアイコンを掴むことができ、これらも同様の手順で記録部２８から消去することができる。
【００４１】
また、図１８のように、キーボードアイコン４７をカーソル４３で選択し、記録再生装置１０の操作ボタン１２を押して放すと（図２１のステップＳ３・Ｓ４）、図１９のような仮想キーボード１９０を仮想空間４１に配置することができる（図２３のステップＳ３−３・Ｓ３−８）。図２０に仮想空間４１に配置した仮想キーボード１９０の様子を示す。仮想キーボード１９０では、先程までと同じように、常に画面中心に近い文字に移動するカーソル４３を動かすことで操作し、操作ボタン１２を押して放すことによって（図２１のステップＳ３・Ｓ４）、カーソル４３の下にある文字を入力することができる（図２３のステップＳ３−４・Ｓ３−９）。
【００４２】
また、仮想キーボード１９０を使用するために、キーボードアイコン４７をカーソル４３で選択する以外にも、前記のように、任意の画像やグループアイコンを手のアイコン１５０で掴んできて、キーボードアイコン４７上で離すことでも、仮想空間４１に配置することができる。その場合、仮想キーボード１９０で入力された文字は、キーボードアイコン４７上で離された画像やグループアイコンの名称やコメントとして自動的に関連付けて入力することができる。
【００４３】
また、上記の実施例では、撮影日時の情報とＧＰＳによる位置情報を記録部２８内の画像データに付与したが、情報付与の手法はこれに限らず、例えば、日時やWi-Fi(無線LAN)による位置情報、画像の顔認識による特徴分析等を基に情報付与を行っても良い。
【００４４】
また、上記の実施例では、センサ部２９による記録再生装置１０の動き検出を行ったが、撮影窓１３を通して得られる外界の画像の差分から、記録再生装置１０の動き検出を行っても良い。
【図面の簡単な説明】
【００４５】
【図１】本発明の実施形態例の記録再生装置を示し、（ａ）は正面図、（ｂ）は背面図。
【図２】本発明の実施形態例の記録再生装置のブロック図。
【図３】本発明の記録手段に記録されるデータ構造の一例を示す説明図。
【図４】本発明の実施形態例の記録再生装置における閲覧モード時の仮想空間と画像データの配置を表す説明図。
【図５】本発明の実施形態例の記録再生装置における閲覧モード時の仮想空間と画像データの配置を表す説明図。
【図６】本発明の実施形態例における表示領域とカーソルの関係を示す説明図。
【図７】本発明の実施形態例における動作を示す説明図。
【図８】本発明の実施形態例の記録再生装置を移動させたときの説明図。
【図９】本発明の実施形態例の記録再生装置を移動させたときの説明図。
【図１０】本発明の実施形態例の記録再生装置を移動させたときの画像の縮小、拡大の様子を示す説明図。
【図１１】本発明の実施形態例の記録再生装置における操作ボタンの動作の説明図。
【図１２】本発明の実施形態例の記録再生装置の操作ボタンによる表示切替の様子を示す説明図。
【図１３】本発明の実施形態例の記録再生装置の操作ボタンによる表示切替の様子を示す説明図。
【図１４】本発明の実施形態例の記録再生装置の操作ボタンによる表示切替の様子を示す説明図。
【図１５】本発明の実施形態例の記録再生装置の手のアイコンによる表示切替の様子を示す説明図。
【図１６】本発明の実施形態例の記録再生装置の手のアイコンによる表示切替の様子を示す説明図。
【図１７】本発明の実施形態例の記録再生装置の手のアイコンによる表示切替の様子を示す説明図。
【図１８】本発明の実施形態例の記録再生装置における仮想キーボード選択の様子を示す説明図。
【図１９】本発明の実施形態例の記録再生装置における仮想キーボード選択の様子を示す説明図。
【図２０】本発明の実施形態例の記録再生装置における仮想キーボード選択の様子を示す説明図。
【図２１】本発明の実施形態例の記録再生装置における動作の全体のフローチャート。
【図２２】本発明の実施形態例の記録再生装置における動作の一部のフローチャート。
【図２３】本発明の実施形態例の記録再生装置における動作の一部のフローチャート。
【符号の説明】
【００４６】
１０…記録再生装置、１１…表示領域、１２…操作ボタン、１３…撮影窓、２０…光学部、２１…イメージャ、２２…Ａ／Ｄ変換部、２３…信号処理回路、２４…フラッシュメモリ、２５…ＣＰＵ、２６…操作部、２７…表示部、２８…記録部、２９…センサ部、４１…仮想空間、４２…サムネイル画、４３…カーソル、４５…グループリスト、４６…ゴミ箱アイコン、４７…キーボードアイコン、１５０…手のアイコン、１９０…仮想キーボード。
【図１】
2009187426.tif 000003
【図２】
2009187426.tif 000004
【図３】
2009187426.tif 000005
【図４】
2009187426.tif 000006
【図５】
2009187426.tif 000007
【図６】
2009187426.tif 000008
【図７】
2009187426.tif 000009
【図８】
2009187426.tif 000010
【図９】
2009187426.tif 000011
【図１０】
2009187426.tif 000012
【図１１】
2009187426.tif 000013
【図１２】
2009187426.tif 000014
【図１３】
2009187426.tif 000015
【図１４】
2009187426.tif 000016
【図１５】
2009187426.tif 000017
【図１６】
2009187426.tif 000018
【図１７】
2009187426.tif 000019
【図１８】
2009187426.tif 000020
【図１９】
2009187426.tif 000021
【図２０】
2009187426.tif 000022
【図２１】
2009187426.tif 000023
【図２２】
2009187426.tif 000024
【図２３】
2009187426.tif 000025